(57)【要約】【課題】カバーの開閉にかかわらず、カバーとは別体の表示装置の画面の視認性を常に確保することでき、かつ表示装置がカバーの開閉を阻害することがない画像形成装置を提供する。【解決手段】本体２の後側に２本の支持スタンド１１を突設して固定し、表示装置４をリンク機構１２を介して各支持スタンド１１に連結し、このリンク機構１２により、プラテンガラスに重なるように閉じられた原稿カバー３の上方位置P1と、開かれた原稿カバー３に干渉することのない退避位置P2との間で、表示装置４を移動可能に支持し、かつ表示装置４の位置にかかわらず、表示装置４の画面の向きを一定に保持している。【選択図】図１
2009267509.tif 000002
【特許請求の範囲】
【請求項１】
読取り原稿が載置される原稿載置台と、原稿載置台に対して開閉自在に設けられ、原稿載置台に重なるように閉じられる原稿カバーと、表示手段とを備えた画像形成装置において、
前記原稿載置台に重なるように閉じられた前記原稿カバーの上方位置と、開かれた原稿カバーに干渉することのない退避位置との間で、前記表示手段を移動可能に支持し、かつ表示手段の位置にかかわらず、表示手段の画面の向きを一定に保持する支持手段を備えることを特徴とする画像形成装置。
【請求項２】
前記支持手段は、前記原稿カバーの開閉に連動して、原稿カバーが前記原稿載置台に重なるように閉じられたときに前記表示手段を原稿カバーの上方位置に移動させ、原稿カバーが開かれたときに表示手段を原稿カバーに干渉することのない退避位置に移動させることを特徴とする請求項１に記載の画像形成装置。
【請求項３】
前記原稿カバーは、原稿カバーの一辺を枢支した枢支軸周りで回転して開閉され、
前記支持手段は、原稿カバーの回転に連動して、前記表示手段を移動させることを特徴とする請求項１に記載の画像形成装置。
【請求項４】
前記支持手段は、固定された支持部と、前記原稿カバーの上方位置と前記退避位置との間で表示手段が移動可能に支持され、かつ表示手段の位置にかかわらず表示手段の画面の向きが一定に保持されるように、前記支持部と表示手段間を連結するリンク機構と、このリンク機構のリンクの軸とを備え、
原稿カバーは、原稿カバーを開閉自在に枢支する枢支軸を備え、
原稿カバーの開閉に連動して、リンク機構及び表示手段が移動するように、原稿カバーの枢支軸とリンク機構のリンクの軸間でそれぞれの回転を相互に伝達する回転伝達手段を設けたことを特徴とする請求項１に記載の画像形成装置。
【請求項５】
前記原稿カバーの枢支軸もしくは前記リンク機構のリンクの軸の回転を抑制するダンパーを備えることを特徴とする請求項４に記載の画像形成装置。
【請求項６】
前記支持手段は、固定された支持部と、前記原稿カバーの上方位置と前記退避位置との間で表示手段が移動可能に支持され、かつ表示手段の位置にかかわらず表示手段の画面の向きが一定に保持されるように、前記支持部と表示手段間を連結するリンク機構と、表示手段が退避位置に移動するように、リンク機構のリンクを付勢する付勢手段とを備え、
原稿カバーは、原稿カバーの上側を表示手段に接続する接続部材と、原稿カバーに着脱自在に係合して、原稿カバーの閉成状態を保持する係合手段とを備え、
前記係合手段により原稿カバーの閉成状態が保持されているときには、前記付勢手段の付勢力に抗して、前記リンク機構が前記接続部材を介して原稿カバー側に引き寄せられて、表示手段が原稿カバーの上方位置に移動し、
係合手段による原稿カバーの係合が解除されると、付勢手段の付勢力によりリンク機構が移動して、表示手段が退避位置に移動し、かつ原稿カバーが開成されることを特徴とする請求項１に記載の画像形成装置。
【請求項７】
前記支持手段は、表示手段の位置にかかわらず表示手段の画面の向きを一定に保持した状態で、前記原稿カバーの上方位置と前記退避位置との間で表示手段を移動可能に支持するガイド手段と、表示手段を退避位置側に付勢する付勢手段とを備え、
前記原稿カバーは、原稿カバーの上側を表示手段に接続する接続部材と、原稿カバーに着脱自在に係合して、原稿カバーの閉成状態を保持する係合手段とを備え、
前記係合手段により原稿カバーの閉成状態が保持されているときには、前記付勢手段の付勢力に抗して、表示手段が前記接続部材を介して原稿カバー側に引き寄せられて、表示手段が原稿カバーの上方位置に移動し、
前記係合手段による原稿カバーの係合が解除されると、前記付勢手段の付勢力により表示手段が退避位置に移動し、かつ原稿カバーが開成されることを特徴とする請求項１に記載の画像形成装置。
【請求項８】
前記付勢手段は、エアダンパーであることを特徴とする請求項６又は７に記載の画像形成装置。
【発明の詳細な説明】
【技術分野】
【０００１】
本発明は、入力操作等を支援するための表示画面を有する画像形成装置に関する。
【背景技術】
【０００２】
この種の従来の装置としては、例えば特許文献１に記載のものがある。ここでは、プリンタ本体の上に上部ユニット（以下カバーと称す）を設け、カバーの前端を前後方向にスライド可能に支持すると共に、カバーの中央をリフトアームを介してプリンタ本体に連結している。カバーの前端が前後方向の後方へ押されると、リフトアームが起き上がって、カバーの後部が持ち上げられ、カバーが傾倒姿勢となり、プリンタ本体の上部が広く開放され、メンテナンスのための十分なスペースが確保される。また、カバーが傾倒姿勢となったときには、カバーの前端側が低くなるので、カバーに設けられた表示装置の画面の視認性が損なわれることがない。
【特許文献１】特開２００７−３２８１６６号公報
【発明の開示】
【発明が解決しようとする課題】
【０００３】
しかしながら、特許文献１では、カバーと表示装置が一体であることを前提としており、カバーとは別体の表示装置を想定していない。従って、カバーの開閉にかかわらず、カバーとは別体の表示装置の画面の視認性を常に確保することはできない。
【０００４】
そこで、本発明は、上記従来の問題点に鑑みなされたものであり、カバーの開閉にかかわらず、カバーとは別体の表示装置の画面の視認性を常に確保することでき、かつ表示装置がカバーの開閉を阻害することがない画像形成装置を提供することを目的とする。
【課題を解決するための手段】
【０００５】
上記課題を解決するために、本発明の画像形成装置は、読取り原稿が載置される原稿載置台と、原稿載置台に対して開閉自在に設けられ、原稿載置台に重なるように閉じられる原稿カバーと、表示手段とを備えた画像形成装置において、前記原稿載置台に重なるように閉じられた前記原稿カバーの上方位置と、開かれた原稿カバーに干渉することのない退避位置との間で、前記表示手段を移動可能に支持し、かつ表示手段の位置にかかわらず、表示手段の画面の向きを一定に保持する支持手段を備えている。
【０００６】
また、前記支持手段は、前記原稿カバーの開閉に連動して、原稿カバーが前記原稿載置台に重なるように閉じられたときに前記表示手段を原稿カバーの上方位置に移動させ、原稿カバーが開かれたときに表示手段を原稿カバーに干渉することのない退避位置に移動させる。
【０００７】
更に、前記原稿カバーは、原稿カバーの一辺を枢支した枢支軸周りで回転して開閉され、前記支持手段は、原稿カバーの回転に連動して、前記表示手段を移動させる。
【０００８】
また、前記支持手段は、固定された支持部と、前記原稿カバーの上方位置と前記退避位置との間で表示手段が移動可能に支持され、かつ表示手段の位置にかかわらず表示手段の画面の向きが一定に保持されるように、前記支持部と表示手段間を連結するリンク機構と、このリンク機構のリンクの軸とを備え、原稿カバーは、原稿カバーを開閉自在に枢支する枢支軸を備え、原稿カバーの開閉に連動して、リンク機構及び表示手段が移動するように、原稿カバーの枢支軸とリンク機構のリンクの軸間でそれぞれの回転を相互に伝達する回転伝達手段を設けている。
【０００９】
更に、前記原稿カバーの枢支軸もしくは前記リンク機構のリンクの軸の回転を抑制するダンパーを備えている。
【００１０】
また、前記支持手段は、固定された支持部と、前記原稿カバーの上方位置と前記退避位置との間で表示手段が移動可能に支持され、かつ表示手段の位置にかかわらず表示手段の画面の向きが一定に保持されるように、前記支持部と表示手段間を連結するリンク機構と、表示手段が退避位置に移動するように、リンク機構のリンクを付勢する付勢手段とを備え、前記原稿カバーは、原稿カバーの上側を表示手段に接続する接続部材と、原稿カバーに着脱自在に係合して、原稿カバーの閉成状態を保持する係合手段とを備え、前記係合手段により原稿カバーの閉成状態が保持されているときには、前記付勢手段の付勢力に抗して、前記リンク機構が前記接続部材を介して原稿カバー側に引き寄せられて、表示手段が原稿カバーの上方位置に移動し、前記係合手段による原稿カバーの係合が解除されると、前記付勢手段の付勢力によりリンク機構が移動して、表示手段が退避位置に移動し、かつ原稿カバーが開成される。
【００１１】
更に、前記支持手段は、表示手段の位置にかかわらず表示手段の画面の向きを一定に保持した状態で、前記原稿カバーの上方位置と前記退避位置との間で表示手段を移動可能に支持するガイド手段と、表示手段を退避位置側に付勢する付勢手段とを備え、前記原稿カバーは、原稿カバーの上側を表示手段に接続する接続部材と、原稿カバーに着脱自在に係合して、原稿カバーの閉成状態を保持する係合手段とを備え、前記係合手段により原稿カバーの閉成状態が保持されているときには、前記付勢手段の付勢力に抗して、表示手段が前記接続部材を介して原稿カバー側に引き寄せられて、表示手段が原稿カバーの上方位置に移動し、前記係合手段による原稿カバーの係合が解除されると、前記付勢手段の付勢力により表示手段が退避位置に移動し、かつ原稿カバーが開成される。
【００１２】
また、前記付勢手段は、エアダンパーである。
【発明の効果】
【００１３】
このような構成の画像形成装置では、原稿載置台に対して原稿カバーを開閉自在に設けている。支持手段は、原稿載置台に重なるように閉じられる原稿カバーの上方位置と、開かれた原稿カバーに干渉することのない退避位置との間で、表示手段を移動可能に支持し、かつ表示手段の位置にかかわらず、表示手段の画面の向きを一定に保持している。従って、表示手段が原稿カバーの開閉を阻害することがないように表示手段を移動させることができる。また、表示手段が移動しても、表示手段の画面の向きが一定に保持されるので、表示手段の画面の視認性を常に確保することができる。
【００１４】
また、支持手段は、原稿カバーの開閉に連動して、表示手段を原稿カバーの上方位置と退避位置間で移動させるので、原稿カバーの開閉操作と同時に、表示手段を移動させることができ、使い勝手が向上する。
【００１５】
例えば、原稿カバーは、原稿カバーの一辺を枢支した枢支軸周りで回転して開閉され、支持手段は、原稿カバーの回転に連動して、表示手段を移動させる。
【００１６】
また、支持手段は、原稿カバーの上方位置と退避位置との間で表示手段を移動可能に支持すると共に、表示手段の位置にかかわらず表示手段の画面の向きを一定に保持するリンク機構を有している。そして、原稿カバーの開閉に連動して、リンク機構が移動し、表示手段が移動するように、原稿カバーの枢支軸とリンク機構のリンクの軸間でそれぞれの回転を相互に伝達している。この場合は、原稿カバーの枢支軸もしくはリンク機構のリンクの軸の回転を抑制するダンパーを設け、原稿カバーの開閉速度もしくは表示手段の移動速度を緩和させるのが好ましい。
【００１７】
例えば、支持手段は、原稿カバーの上方位置と退避位置との間で表示手段を移動可能に支持すると共に、表示手段の位置にかかわらず表示手段の画面の向きを一定に保持するリンク機構と、表示手段が退避位置に移動するように、リンク機構のリンクを付勢する付勢手段とを有している。そして、原稿カバーの上側を接続部材を介して表示手段に接続し、原稿カバーの閉成状態を保持する係合手段を設け、原稿カバーの閉成状態が保持されているときには、付勢手段の付勢力に抗してリンク機構が移動して、表示手段が接続部材を介して原稿カバー側に引き寄せられ、表示手段が原稿カバーの上方位置に移動し、係合手段による原稿カバーの係合が解除されると、付勢手段の付勢力によりリンク機構が移動して、表示手段が退避位置に移動し、かつ原稿カバーが開成される。
【００１８】
例えば、支持手段は、表示手段の位置にかかわらず表示手段の画面の向きを一定に保持した状態で、原稿カバーの上方位置と退避位置との間で表示手段を移動可能に支持するガイド手段と、表示手段を退避位置側に付勢する付勢手段とを備えている。そして、原稿カバーの上側を接続部材を介して表示手段に接続し、原稿カバーの閉成状態を保持する係合手段を設け、原稿カバーの閉成状態が保持されているときには、付勢手段の付勢力に抗して、表示手段が接続部材を介して原稿カバー側に引き寄せられて、表示手段が原稿カバーの上方位置に移動し、前原稿カバーの係合が解除されると、付勢手段の付勢力により表示手段が退避位置に移動し、かつ原稿カバーが開成される。この場合は、付勢手段として、エアダンパーを適用することができる。このエアダンパーは、例えば自動車のバックドア等に適用されるものと同様の構成であって、原稿カバーやバックドア等をエア圧もしくはバネ圧で開く方向に付勢し、また原稿カバーやバックドア等の閉じる方向の移動を緩和することができる。
【発明を実施するための最良の形態】
【００１９】
以下、本発明の実施形態を添付図面を参照して詳細に説明する。
【００２０】
図１及び図２は、本発明の画像形成装置の実施形態１を概略的に示す斜視図であり、画像形成装置の一部を透過して示している。
【００２１】
図１及び図２において、画像形成装置１は、複写機やファクシミリ装置等からなる本体２と、この本体２の上側に開閉自在に設けられた原稿カバー３と、この原稿カバー３の上方に配置された表示装置４とを備えている。原稿カバー３は、その後側の一辺の軸３ａにより軸支されて、軸３ａ周りで回転して開閉される。この原稿カバー３が開かれると、原稿カバー３下側の原稿載置用のプラテンガラス（図示せず）が露見し、このプラテンガラス上に原稿を置くことができる。このプラテンガラスの下方には読取り走査系が配置されており、この読取り走査系によりプラテンガラス上の原稿画像が読取られる。そして、この原稿画像が記録用紙に複写されたりファクシミリ送信される。
【００２２】
本体２の上端部の傾斜面２ａには、操作パネル５が設けられており、この操作パネル５に配列された複数の操作キー（図示せず）が操作されて、画像形成装置１に対する各種の入力指示がなされる。操作パネル５を本体２の代わりに原稿カバー３に設けても構わない。
【００２３】
従来は、そのような操作パネルに表示装置を一体的に設けていたが、この場合は、表示装置を小型化せざるを得ず、その画面の視認性が良くなく、また画面の表示内容が限られてしまった。
【００２４】
本実施形態では、表示装置４を本体２や原稿カバー３とは別体に設けているので、表示装置４を大型化することができ、画面の視認性が良く、多様な表示内容を表示することができる。また、表示装置４の画面に透明なタッチパネルを重ねて設けた場合は、画面上に多くの操作ボタンを表示すると共に、細やかな操作支援のメッセージを表示することができるので、使い勝手が良くなる。更に、画像形成装置１を使用していないときには、種々のメッセージや広告等を表示することができ、店舗等での利用価値を高めることができる。
【００２５】
ここで、表示装置４の画面を見易くするには、図１及び図２に示すように画像形成装置１の原稿カバー３の上方に表示装置４を配置し、表示装置４の画面を正面に向ける必要がある。また、原稿カバー３が開閉されるので、表示装置４が原稿カバー３の開閉を阻害しないようにしなければならない。
【００２６】
そこで、本実施形態においては、本体２の後側に２本の支持スタンド１１を突設して固定し、表示装置４をリンク機構１２を介して各支持スタンド１１に連結し、このリンク機構１２により、プラテンガラスに重なるように閉じられた原稿カバー３の上方位置と、開かれた原稿カバー３に干渉することのない退避位置との間で、表示装置４を移動可能に支持し、かつ表示装置４の位置にかかわらず、表示装置４の画面の向きを一定に保持している。
【００２７】
リンク機構１２は、表示装置４の一側端４ａを一方の支持スタンド１１に連結する２本のリンク１２ａと、表示装置４の他側端４ｂを他方の支持スタント１１に連結する２本のリンク１２ｂとを備えている。各リンク１２ａ、１２ｂの一端は、表示装置４の側端４ａ、４ｂでそれぞれの軸１３ａ、１３ｂにより回転自在に軸支され、また各リンク１２ａ、１２ｂの他端は、各支持スタンド１１でそれぞれの軸１４ａ、１４ｂにより回動自在に軸支されている。
【００２８】
各リンク１２ａ、１２ｂの長さは、同一である。また、各リンク１２ａの一端部の間隔と他端部の間隔が同一であって、各リンク１２ａが常に平行になっている。同様に、各リンク１２ｂの一端部の間隔と他端部の間隔が同一であって、各リンク１２ｂが常に平行になっている。そして、各リンク１２ａ、１２ｂにより表示装置４が各支持スタンド１１に対して常に平行になるように支持されている。
【００２９】
図３（ａ）に示すように各リンク１２ａ、１２ｂが表示装置４及び各支持スタンド１１に対して直角の向きにあるときには、表示装置４が画像形成装置１の原稿カバー３の上方位置P1にある。また、図３（ｂ）に示すように各リンク１２ａ、１２ｂが各支持スタンド１１のそれぞれの軸１４ａ、１４ｂ周りで時計周りに回転すると、表示装置４が上方に回転移動しつつ各支持スタンド１１に接近して、表示装置４が退避位置P2まで移動し、表示装置４の下方にスペースが形成され、原稿カバー３を開くことが可能となる。
【００３０】
一方、下側のリンク１２ａ、１２ｂの軸１４ａ、１４ｂには第１ギア２１が固定され、原稿カバー３の軸３ａには第２ギア２２が固定され、第１ギア２１と第２ギア２２間に各支持スタンド１１で軸支された伝達ギア２３が介在して、この伝達ギア２３が第１ギア２１と第２ギア２２に歯合している。また、伝達ギア２３には、オイルダンパ２４により一方向の回転速度を抑制された抑制ギア２５が歯合している。従って、第１ギア２１、第２ギア２２、伝達ギア２３、及び抑制ギア２５は、相互に連動して回転することになる。
【００３１】
ここで、図３（ａ）に示すように表示装置４が原稿カバー３の上方位置P1にある状態で、原稿カバー３の前端が持ち上げられて、原稿カバー３が開かれて行くと、原稿カバー３の軸３ａの第２ギア２２が時計周りに回転し、これに伴って伝達ギア２３が反時計回りに回転し、第１ギア２１が時計周りに回転する。そして、この第１ギア２１の時計周りの回転と共に、図３（ｂ）に示すように下側の各リンク１２ａ、１２ｂの軸１４ａ、１４ｂが時計周りに回転して、表示装置４が上方に回転移動しつつ各支持スタンド１１に接近し、表示装置４の下方のスペースが拡大して行き、表示装置４が退避位置P2まで移動する。このため、原稿カバー３が表示装置４に干渉するはない。
【００３２】
また、抑制ギア２５も回転するが、このときの抑制ギア２５の回転方向の回転速度がオイルダンパ２４により抑制されることはなく、第１ギア２１、第２ギア２２、及び伝達ギア２３の回転速度が速やかに回転する。このため、原稿カバー３を容易に開き、かつ表示装置４を退避位置P２まで速やかに移動させることができる。
【００３３】
次に、図３（ｂ）に示すように表示装置４が退避位置P2にある状態で、原稿カバー３の前端が解放されると、それぞれの自重により原稿カバー３及び表示装置４が反時計周りに回転もしくは下方に移動しようとし、原稿カバー３の軸３ａの第２ギア２２及び下側リンク１２ｂの軸１４ｂの第１ギア２１が反時計周りに回転し、これに伴って伝達ギア２３が時計回りに回転する。このときの抑制ギア２５の回転方向の回転速度がオイルダンパ２４により抑制されることから、第１ギア２１、第２ギア２２、及び伝達ギア２３の回転速度も抑制され、原稿カバー３及び表示装置４が緩やかに回転もしくは移動して行き、原稿カバー３が緩やかに閉成され、表示装置４が上方位置P1へと緩やかに戻る。これにより、原稿カバー３及び表示装置４が破損したり、手を挟んで怪我をするというような事態が防止される。
【００３４】
このように本実施形態では、原稿カバー３の開閉動作に伴って、表示装置４が原稿カバー３の上方位置P1と退避位置P2間で移動するので、原稿カバー３の開閉動作が阻害されることはない。
【００３５】
また、図３（ａ）に示すように表示装置４が原稿カバー３の上方位置P1にある状態では、利用者が画像形成装置１の前方に立ったときに、表示装置４の画面を至近距離で見ることができ、画面の表示内容を視認し易い。また、画面に重ねられたタッチパネルの操作が容易である。
【００３６】
更に、図３（ｂ）に示すように表示装置４が退避位置P2にある状態では、表示装置４が支持スタンド１１側に移動するが、表示装置４の画面の向きが変わらないので、表示装置４の画面の表示内容を視認することが可能であり、また手を伸ばせば、画面に重ねられたタッチパネルの操作も可能である。
【００３７】
図４は、本発明の画像形成装置の実施形態２を概略的に示す斜視図であり、画像形成装置の一部を透過して示している。尚、図４において、図１及び図２と同様の作用を果たす部位には同じ符号を付す。
【００３８】
本実施形態の画像形成装置１Ａでは、図１及び図２の装置と同様に、本体２の後側に２本の支持スタンド１１を突設して固定し、表示装置４をリンク機構１２を介して各支持スタンド１１に連結しているが、図１及び図２の装置における各ギア２１、２２、２３、２５及びオイルダンパ２４を省略し、この代わりに２本のエアダンパー３１をリンク機構１２の下側のリンク１２ｂと支持スタンド１１間に挿入している。また、表示装置４の下端両側をそれぞれのコイルバネ３２を介して原稿カバー３に連結している。更に、原稿カバー３の前端中央に係止爪３３を設け、この係止爪３３を本体２の前端中央の係止凹部３４（図５に示す）に係止して、原稿カバー３の閉じた状態を保持している。
【００３９】
各エアダンパー３１は、例えば自動車のバックドア等に適用されるものと同様の構成であって、シリンダと、エア圧もしくはバネ圧により伸長方向で付勢されかつ縮小方向の移動が抑制されるピストンロッドとを有し、リンク機構１２の下側のリンク１２ａ、１２ｂを上方向に付勢し、また下側のリンク１２ａ、１２ｂの下方向への移動を抑制して緩和する。
【００４０】
係止爪３３は、操作レバー３３ａを有し、係止爪３３が係止凹部３４に係止する方向にバネ（図示せず）により付勢されている。操作レバー３３aが操作されて、係止爪３３がその係止方向と逆方向に移動すると、係止爪３３が係止凹部３４から外れて、原稿カバー３の開成が可能となる。
【００４１】
図５（ａ）に示すように原稿カバー３の係止爪３３が本体２の係止凹部３４に係止されて、原稿カバー３が閉じられ、表示装置４が原稿カバー３の上方位置P1にある状態では、リンク機構１２が各コイルバネ３２を介して原稿カバー３側に引き付けられ、下側のリンク１２ａ、１２ｂが原稿カバー３に接近し、エアダンパー３１が縮小する。
【００４２】
次に、係止爪３３のレバー３３aが操作されて、原稿カバー３の係止爪３３が本体２の係止凹部３４から外され、原稿カバー３の開成が可能になると、図５（ｂ）に示すようにリンク機構１２の移動も可能になって、エアダンパー３１がその付勢力により伸長して、エアダンパー３１により下側のリンク１２ａ、１２ｂが持ち上げられ、各リンク１２ａ、１２ｂが時計周りに回転して、表示装置４が上方に回転移動しつつ各支持スタンド１１に接近し、表示装置４の下方のスペースが拡大して行き、表示装置４が退避位置P2まで移動する。同時に、表示装置４が各コイルバネ３２を介して原稿カバー３を引っ張り上げ、原稿カバー３が開成される。
【００４３】
次に、原稿カバー３の前端が押し下げられると、原稿カバー３が反時計周りに回転して、表示装置４が各コイルバネ３２を介して原稿カバー３に引っ張られ、表示装置４及びリンク機構１２がエアダンパー３１の付勢力に抗して下方に移動して、エアダンパー３１が縮小して行き、原稿カバー３が完全に閉じられたときに、表示装置４が原稿カバー３の上方位置P1に戻る。このとき、原稿カバー３の係止爪３３が本体２の係止凹部３４に係止されて、原稿カバー３の閉じられた状態が維持される。
【００４４】
このように原稿カバー３の開閉動作に伴って、表示装置４が原稿カバー３の上方位置P1と退避位置P2間で移動するので、原稿カバー３の開閉動作が阻害されることはない。
【００４５】
また、表示装置４が原稿カバー３の上方位置P1にある状態では、利用者が表示装置４の画面を至近距離で見ることができ、画面に重ねられたタッチパネルの操作が容易である。
【００４６】
更に、表示装置４が退避位置P2にあっても、表示装置４の画面の向きが変わらないので、表示装置４の画面の表示内容を視認することが可能であり、また手を伸ばせば、画面に重ねられたタッチパネルの操作も可能である。
【００４７】
図６は、本発明の画像形成装置の実施形態３を概略的に示す斜視図であり、画像形成装置の一部を透過して示している。尚、図６において、図１及び図２と同様の作用を果たす部位には同じ符号を付す。
【００４８】
本実施形態の画像形成装置１Ｂでは、本体２の後側に２本のガイドスタンド４１を突設して固定し、各ガイドスタンド４１によりそれぞれのコの字型支持部材４２を垂直方向に移動自在に支持している。各コの字型支持部材４２は、水平方向に突き出たアーム４２ａを２本ずつ有しており、一方のコの字型支持部材４２の各アーム４２ａの先端を表示装置４の一側端４ａに固定し、他方のコの字型支持部材４２の各アーム４２ａの先端を表示装置４の他側端４ｂに固定して、表示装置４を支持している。従って、各コの字型支持部材４２が各ガイドスタンド４１に沿って垂直方向に移動すると、表示装置４も垂直方向に移動する。
【００４９】
また、各エアダンパー４４は、図４のエアダンパー３１と同様のものであり、各コの字型支持部材４２を上方向に付勢している。
【００５０】
更に、表示装置４の下端両側をそれぞれのコイルバネ３２を介して原稿カバー３に連結している。また、原稿カバー３の前端中央に係止爪３３を設け、この係止爪３３を本体２の前端中央の係止凹部３４に係止して、原稿カバー３の閉じた状態を保持している。
【００５１】
図７（ａ）に示すように原稿カバー３の係止爪３３が本体２の係止凹部３４に係止されて、原稿カバー３が閉じられ、表示装置４が原稿カバー３の上方位置P1にある状態では、各コの字型支持部材４２が各コイルバネ３２を介して原稿カバー３側に引き付けられ、下側の各アーム４２ａが原稿カバー３に接近し、各エアダンパー４４が縮小している。
【００５２】
次に、原稿カバー３の係止爪３３が本体２の係止凹部３４から外されて、原稿カバー３の開成が可能になると、図７（ｂ）に示すように各コの字型支持部材４２の移動も可能になって、各エアダンパー４４がその付勢力により伸長して、各エアダンパー４４によりそれぞれのコの字型支持部材４２が持ち上げられ、表示装置４が上方に移動し、表示装置４の下方のスペースが拡大して行き、表示装置４が退避位置P2まで移動する。同時に、表示装置４が各コイルバネ３２を介して原稿カバー３を引っ張り上げ、原稿カバー３が開かれて行く。
【００５３】
次に、原稿カバー３の前端が押し下げられると、原稿カバー３が反時計周りに回転して、表示装置４が各コイルバネ３２を介して原稿カバー３に引っ張られ、表示装置４及び各コの字型支持部材４２がエアダンパー４４の付勢力に抗して下方に移動し、エアダンパー４４が縮小して行き、原稿カバー３が完全に閉じられたときに、表示装置４が原稿カバー３の上方位置P1に戻る。このとき、原稿カバー３の係止爪３３が本体２の係止凹部３４に係止されて、原稿カバー３の閉じられた状態が維持される。
【００５４】
本実施形態でも、原稿カバー３の開閉動作に伴って、表示装置４が原稿カバー３の上方位置P1と退避位置P2間で移動するので、原稿カバー３の開閉動作が阻害されることはない。
【００５５】
また、表示装置４が原稿カバー３の上方位置P1及び退避位置P2のいずれにある状態でも、表示装置４の画面の向きが変わらないので、表示装置４の画面の表示内容を視認することが可能であり、また画面に重ねられたタッチパネルの操作も可能である。
【００５６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【００５７】
例えば、表示装置を支持するリンク機構を多様に変形することができる。また、表示装置の向きや大きさを適宜に変更しても構わない。更に、原稿カバーもしくは表示装置の移動を補助するために、各種のアクチュエータもしくは電動アクチュエータを適用してもよい。
【図面の簡単な説明】
【００５８】
【図１】本発明の画像形成装置の実施形態１を概略的に示す斜視図であり、画像形成装置の一部を透過して示している。
【図２】図１の画像形成装置の別の一部を透過して示す斜視図である。
【図３】（ａ）及び（ｂ）は、図１の画像形成装置における表示装置が原稿カバー上方位置及び退避位置にあるときの状態を示す側面図である。
【図４】本発明の画像形成装置の実施形態２を概略的に示す斜視図であり、画像形成装置の一部を透過して示している。
【図５】（ａ）及び（ｂ）は、図４の画像形成装置における表示装置が原稿カバー上方位置及び退避位置にあるときの状態を示す側面図である。
【図６】本発明の画像形成装置の実施形態３を概略的に示す斜視図であり、画像形成装置の一部を透過して示している。
【図７】（ａ）及び（ｂ）は、図６の画像形成装置における表示装置が原稿カバー上方位置及び退避位置にあるときの状態を示す側面図である。
【符号の説明】
【００５９】
１、１Ａ、１Ｂ  画像形成装置
２  本体
３  原稿カバー
４  表示装置
１１  支持スタンド
１２  リンク機構
２１  第１ギア
２２  第２ギア
２３  伝達ギア
２４  オイルダンパ
２５  抑制ギア
３１、４４  エアダンパー
３２  コイルバネ
３３  係止爪
３４  係止凹部
４１  ガイドスタンド
４２  コの字型支持部材
【図１】
2009267509.tif 000003
【図２】
2009267509.tif 000004
【図３】
2009267509.tif 000005
【図４】
2009267509.tif 000006
【図５】
2009267509.tif 000007
【図６】
2009267509.tif 000008
【図７】
2009267509.tif 000009